(57)【特許請求の範囲】
【請求項１】
（ａ）第一および第二の辺を有し、且つ予め定められた照明領域および非照明領域を画定する、透明で変形可能な基板；
（ｂ）該透明な基板の第一の辺の上で該照明領域に配置されたＯＬＥＤ、および該ＯＬＥＤに電気信号を適用するための手段であって、該ＯＬＥＤが光と熱を生じることを引き起こす手段；
（ｃ）該ＯＬＥＤの上に配置された保護層；
（ｄ）該保護層の上に配置されているが、該保護層に付着はしていない、柔軟性のある封じ込めフォイル；および
（ｅ）該熱を散逸させるためおよび該透明で変形可能な基板に剛性を提供するために、該柔軟性のある封じ込めフォイルの上に配置され、かつ、該照明領域上で該透明で変形可能な基板と動作可能なように組み合わされた、剛性のクローズド筐体構造、
を含んでなるフラットパネルＯＬＥＤデバイス。
【請求項２】
該保護層がポリマー材料を含んでなる、請求項１に記載のフラットパネルＯＬＥＤデバイス。
【請求項３】
（ａ）第一および第二の辺を有し、且つ予め定められたディスプレイ領域および非ディスプレイ領域を画定する、透明で変形可能な基板；
（ｂ）該透明な基板の第一の辺の上で該ディスプレイ領域に配置されたアドレス可能なＯＬＥＤ画素のアレイ、および光と熱を生じさせるために該ディスプレイ画素に電気信号を適用するための手段；
（ｃ）該ＯＬＥＤ画素のアレイの上に配置された保護層；
（ｄ）該保護層の上に配置されているが、該保護層に付着はしておらず、および該非ディスプレイ領域において該基板に封止的に接続された、柔軟性のある封じ込めフォイル；および
（ｅ）該熱を散逸させるためおよび該透明で変形可能な基板に剛性を提供するために該非ディスプレイ領域において該基板に接続され、且つ、該ディスプレイ領域において該フォイルから隔てられている、剛性のクローズド筐体構造、
を含んでなるフラットパネルＯＬＥＤディスプレイ。
【発明の詳細な説明】
【技術分野】
【０００１】
本発明は、フラットパネルＯＬＥＤデバイスに関し、より具体的にはそのようなデバイスに剛性を提供するための、およびそれらを湿損（ｍｏｉｓｔｕｒｅ  ｄａｍａｇｅ）から防護するための構造に関する。
【背景技術】
【０００２】
有機発光ダイオード（ＯＬＥＤ）デバイスは、初期から比較的小さいディスプレイデバイスとして受け入れられていた。概してＯＬＤＥデバイスは、有機発光層の両辺に配置した正孔輸送層および電子輸送層を有する。間隔を空けられた電極がＯＬＥＤを通過する電流を起こし、そしてこの有機発光層における正孔と電子の組み合わせが光を生じる。これらのＯＬＥＤデバイスは、概して、パッシブマトリックスまたはアクティブマトリックス駆動形式のいずれかを有する。フラットパネルデバイス、例えばテレビディスプレイ、プレゼンテーションディスプレイ、または発光パネルは、よりポピュラーになりつつある。フラットパネルＯＬＥＤデバイスは、これらの用途に関する多数の利点を提供する。しかしながら、フラットパネルＯＬＥＤデバイスに関連する問題が存在する。質量を減らすために、ＯＬＥＤデバイスは概して薄型の変形可能な基板を使用するが、これは曲がったり、砕けたり、または破損することがあり、このため光出力を歪曲する。別の難点は、この基板が薄型の場合に、そのＯＬＥＤが基板を歪曲するのに十分な熱を生じ得ることである。
【０００３】
ＯＬＥＤ用の支持体を提供するために、様々な方法が使用されてきた。Ｇｕｅｎｔｈｅｒは、米国特許６，６６０，５４７号において、電界発光デバイス用の支持体リムを開示している。Ｈｅｉｍｇａｒｔｈｅｒは、米国特許６，６８８，９３３号において、電界発光デバイス用の構造的フレームの使用を教示している。Ｇｕｅｎｔｈｅｒらは、米国特許７，０２６，７５８号において、電界発光デバイス用の堅い強化リッドを開示し、ここでそのリッドはそのデバイスを支持するのに役立つ。しかしながら、これらの事例では、熱除去のための対策が全くされていない。
【０００４】
Ｋｉｋｕｃｈｉらは、米国特許第７，０６３，９０２号において、伝熱性の充填層を伴って封じ込められたＯＬＥＤを教示している。しかしながら、支持体を伴うそのような伝熱層をどのように提供するかについては示唆がない。特開平１０―２７５６８１号では、高熱伝導性を提供するために、金属充填剤および炭素粉末を伴う保護層が示されている。
【０００５】
このように、電界発光デバイスに対する構造的支持体および熱散逸の両方を提供することは、解決されるべき問題である。
【発明の概要】
【発明が解決しようとする課題】
【０００６】
従って、本発明の目的は、透明で変形可能な基板に剛性を提供し、且つフラットパネルデバイスにおけるＯＬＥＤに水分および熱保護も提供する、フラットパネルＯＬＥＤデバイスを提供することである。
【課題を解決するための手段】
【０００７】
この目的は、以下を含んでなるフラットパネルＯＬＥＤデバイス達成される：
（ａ）第一および第二の辺を有し、且つ予め定められた照明領域および非照明領域を画定する、透明で変形可能な基板；
（ｂ）該透明な基板の第一の辺の上で該照明領域に配置された水分感受性ＯＬＥＤ、および該ＯＬＥＤに電気信号を適用するための手段であって、該ＯＬＥＤが光と熱を生じることを引き起こす手段；
（ｃ）該ＯＬＥＤの上に配置された保護層；
（ｄ）該保護層の上に配置されているが、そこに付着はしていない、柔軟性のある封じ込めフォイル；および
（ｅ）該熱を散逸させるためおよび該透明で変形可能な基板に剛性を提供するために、該透明で変形可能な基板と動作可能なように組み合わされた、剛性の筐体構造。
【０００８】
本発明の利点は、熱分配をもたらし、且つＯＬＥＤデバイスの熱による歪曲および過熱の危険性を減らし、および画像の焼き付きの危険性を大幅に減らすことである。本発明のさらなる利点は、ＯＬＥＤデバイス用の構造的な支持体ももたらし、ＯＬＥＤガラスの大きなピースに優れた剛性をもたらし、および頑丈な取り付け構造をもたらすことである。
【図面の簡単な説明】
【０００９】
【図１】本発明による、剛性の筐体構造を伴うフラットパネルＯＬＥＤデバイスの第一の実施態様の断面図である。
【図２】図１の剛性の筐体構造の上面図である。
【図３】本発明を伴って有用となる先行技術ＯＬＥＤの構造を表す断面図である。
【発明を実施するための形態】
【００１０】
“ＯＬＥＤデバイス”または“有機発光ディスプレイ”という用語は、画素として有機発光ダイオードを備えるディスプレイ装置というこの分野で知られている意味で用いる。“ＯＬＥＤデバイス”という用語は、有機発光ダイオードを含む発光デバイスを指すが、ディスプレイデバイスに限定されず、例えば“ＯＬＥＤデバイス”は照明パネルを含むことがある。“マルチカラー”という用語は、異なる領域では異なる色相の光を出すことのできるディスプレイ・パネルを記述するのに用いる。この用語は、特に、いろいろな色からなる画像を表示することのできるディスプレイ・パネルを記述するのに用いる。領域は、必ずしも互いに連続している必要はない。“フル・カラー”という用語は、一般に、可視スペクトルの少なくとも赤色領域と緑色領域と青色領域で光を出すことができて、任意の色相の組み合わせを表示できるマルチカラー・ディスプレイ・パネルを記述するのに用いる。所定のディスプレイによって生じ得る色の一式は、通常そのディスプレイの色域（ｃｏｌｏｒ  ｇａｍｕｔ）と呼ばれる。赤、緑、青は三原色を構成し、その三原色を適切に混合することによって他のあらゆる色を作り出すことができる。しかし追加のいろいろな色を使用してデバイスの色域を広げることまたはデバイスの色域の範囲内にすることも可能である。“色相”という用語は、可視スペクトルの範囲での発光の強度プロファイルを意味する。色相が異なると、目で見て色の違いを識別することができる。“画素”という用語は、この分野で知られている意味で用いられ、ディスプレイ・パネル内で刺激を与えることによって他の領域とは独立に光を出させることのできる領域を指す。
【００１１】
図１を参照すると、本発明による、剛性の筐体構造を伴うフラットパネルＯＬＥＤデバイス１０の第一の実施態様の断面図が示される。ＯＬＥＤデバイス１０は、基板２０を含み、これは透明で変形可能な基板であって、そこを通って光が発せられる。このように、ＯＬＥＤデバイス１０は底面発光型ＯＬＥＤとして一般に知られるタイプのものである。ＯＬＥＤデバイス１０は、フラットパネルＯＬＥＤディスプレイであってもよく、例えば一以上の色で画像を表示することができるＯＬＥＤデバイスであって、フルカラーディスプレイを含む。そのようなディスプレイは、当該技術分野で周知のアドレス可能なＯＬＥＤ画素でできたアレイを含むことができる。この画素でできたアレイは、パッシブマトリックスアレイまたはアクティブマトリックスアレイであってもよい。アクティブマトリックスアレイの場合、電子制御素子のアレイ、例えば薄膜トランジスタ（ＴＦＴ）は、個々の画素の発光強度を制御するために基板２０にパターニングされ得る。あるいは、ＯＬＥＤデバイス１０は、照明デバイスであってもよく、例えば照明パネルである。水分感受性ＯＬＥＤ３０は、当該技術分野で周知の、透明な基板２０の第一の辺の上に配置される。ＯＬＥＤデバイス１０がＯＬＥＤディスプレイである、この実施態様では、ＯＬＥＤ３０が、水分感受性でアドレス可能な当該技術分野で周知のＯＬＥＤ画素のアレイを含む。ＯＬＥＤデバイス１０は、照明領域および非照明領域を含む。ほとんどの基本的な実施態様では、その照明領域はＯＬＥＤ３０またはその一部によって画定され、一方ＯＬＥＤ３０を取り囲む基板２０の上の領域が非照明領域を画定する。他の実施態様が可能であることも理解されるであろう；例えば、ＯＬＥＤデバイスが、非照明領域によって分離された非連続複数の照明領域を有してもよい。ＯＬＥＤデバイス１０がＯＬＥＤディスプレイである、実施態様では、照明および非照明領域は、それぞれディスプレイおよび非ディスプレイ領域として一般に知られている。ＯＬＥＤデバイス１０は、ＯＬＥＤ３０に電気信号を適用するための電源に接続された導電体も含み、これがＯＬＥＤに光を生じさせ、またそれによって望ましくない熱を発する。
【００１２】
保護層４０は、望ましく絶縁がされており、ＯＬＥＤ３０の上に配置されている。保護層４０は、ＯＬＥＤ３０を電気短絡、および接触（例えば以下で記載される、保護層４０の上に配置された導電性フォイル層による摩擦）による物理的損傷から保護する。保護層４０のための材料のいくつかの例は、ポリマー、および酸化物層例えばＳｉＯｘを含む。保護層４０は、０．５〜２５マイクロメートルの厚みであってもよい。保護層４０は、ＯＬＥＤ３０のカソードを完全にカバーするように、通常の製造許容範囲に基づいて、ＯＬＥＤ３０の端を超えて延びている。
【００１３】
ＯＬＥＤデバイス１０は、柔軟性のある封じ込めフォイル５０をさらに含む。フォイル５０は、保護層４０の上に配置されるが、そこに付着はしていない。フォイル５０は、フォイル５０の端部でまたはその近くで接着剤９５を用いて基板２０の非照明領域に封止的に接続され、このようにしてＯＬＥＤ３０を封止的に取り囲んでいる。接着剤９５は、水分に対する低い浸透性を有し、および概して０．５〜１５ｍｍの幅と５〜５０μｍの厚みを備えている。さらに、乾燥剤層７０が、保護層４０の周辺部の上で、且つ保護層４０とフォイル５０の間に配置されてもよい。乾燥剤のいくつかの非限定的な例は、アルミナ、ボーキサイト、硫酸カルシウム、粘土、シリカゲル、ゼオライト、アルカリ金属酸化物、アルカリ土類酸化物、硫酸塩、金属ハロゲン化物、および過塩素酸塩を含む。フォイル５０は通常、アルミニウムフォイルのような金属フォイルである。
【００１４】
さらに、ＯＬＥＤデバイス１０は剛性の筐体構造６０を含み、これは基板２０の非照明領域での構造接着剤９０を用いた接続を介して基板２０と動作可能なように組み合わされる。接着剤９０は、構造的発泡性テープまたは非必須接着剤であってもよい。筐体構造６０の全周囲に接着剤９０を有することが望ましいが、ワイヤーアクセス等のために必要なギャップが残されていてもよい。筐体構造６０は、クローズドフレーム構造であり、これが基板２０に剛性と支持体を提供し、且つＯＬＥＤ３０から熱を散逸させる。剛性の筐体構造６０が、ディスプレイをできるだけ薄く、例えば５ｍｍのギャップに、保ちながら、フォイル５０に接しないように、筐体構造６０は照明領域におけるフォイル５０から隔てられている。筐体構造６０は、剛性を提供し、軽量であり、且つＯＬＥＤ３０からの熱の良好な伝導体である材料、例えばアルミニウムのような金属、から形成される。筐体構造６０のクローズド構造によって、筐体構造６０の表面の大半がＯＬＥＤ３０からの熱を散逸することが可能となる。筐体構造６０の上部に形成された追加的なたすき６５が、追加的な剛性をもたらすだけでなく、熱散逸を増進させるフィン付きヒートシンクとしても機能する。この構造は、外部ファン冷却と組み合わせて、さらに熱散逸を増進させることが可能である。筐体構造６０は、このような構造を作製するための周知の様々な任意の方法を用いて形成可能であり、結果として、筐体構造６０は例えばアルミニウム鋳物構造であってもよい。
【００１５】
ＯＬＥＤデバイス１０は、例えば基板２０の非照明領域に付着させることによって、基板２０の第二の辺に封止的に付着される透明なプラスチックシート８０も含んでもよい。このようなシート８０は光学的な機能のもの、例えば偏光シートであってもよい。このシート８０は基板２０への損傷に対する追加的な保護も提供することができる。
【００１６】
図２を参照すると、図１の剛性の筐体構造６０上面図が示されている。図２は、筐体構造６０のクローズドフレーム構造６０を示す。筐体構造の本体に形成されたたすき６５が、追加的な支持体および剛性をこの筐体構造に提供するだけでなく、熱を散逸させるための追加された表面も提供する。
【００１７】
好ましい実施形態において、本発明は、Ｔａｎｇ等の米国特許第４，７６９，２９２号、およびＶａｎＳｌｙｋｅ等の米国特許第５，０６１，５６９号に開示されるような（しかし、これらに限定されない）低分子または重合体ＯＬＥＤから構成される有機発光ダイオード（ＯＬＥＤ）を含むディスプレイで使用される。有機発光ディスプレイの多数の組み合わせおよび変形は、このようなディスプレイを製造するために用いられ得る。
【００１８】
一般的なディスプレイの基本設計概念
本発明は大半の底面発光ＯＬＥＤディスプレイ機器構成で使用され得る。これらは、発光要素を形成するためにアノードおよびカソードの直交配列から成るパッシブ・マトリクス・ディスプレイ、ならびに個々の発光要素が例えば薄膜トランジスタ（ＴＦＴ）を用いて独立的に制御されるアクティブ−マトリクス・ディスプレイなど、より複雑なディスプレイに一つのアノードおよびカソードを含む非常に単純な構造を含む。
【００１９】
本発明が首尾よく実行できる多数の有機層の機器構成が存在する。本発明を用いると有益な、典型的な先行技術の構造の断面図が、図３に示されるＯＬＥＤ３０であり、ＯＬＥＤ３０は、基板２０の上にアノード１０３、正孔注入層１０５、正孔輸送層１０７、発光層１０９、電子輸送層１１１、およびカソード１１３を含む。これらの層は以下詳細に記載される。カソード１１３は代替的に基板２０に近接して配置され得ること、または基板２０は実際にアノード１０３もしくはカソード１１３を構成し得ることに留意すべきである。アノード１０３とカソード１１３の間の有機層は便宜上有機ＥＬ要素と称される。有機層の合わせた全厚みは５００ｎｍ未満が好ましい。
【００２０】
ＯＬＥＤ３０のアノード１０３およびカソード１１３は、光を発するためのＯＬＥＤ３０への電気信号を適用するために、導電体２６０を介して電源２５０に接続される。ＯＬＥＤはアノード１０３がカソード１１３より陽電位であるようにアノード１０３とカソード１１３の間に電位をかけることにより作動する。正孔はアノード１０３から有機ＥＬ要素内に注入され、電子はカソード１１３で有機ＥＬ要素内に注入される。ディスプレイ安定性の強化は、ＡＣモードにおいて当該サイクルの一定期間電位デバイスを逆にして電流を流さないことで、時折達成され得る。ＡＣ駆動ＯＬＥＤの例は米国特許第５，５５２，６７８号に記載されている。
【００２１】
基板
本発明のＯＬＥＤディスプレイは通常支持基板上に提供され、カソードまたはアノードのいずれかが該基板と接触し得る。該基板と接触する電極は便宜上底電極と呼ばれる。従来、底電極はアノードであるが、本発明はその機器構成に限定されない。該基板は任意の透明な材料であってよく、ガラスおよびプラスチックを含むが、これらに限定はされない。または不透明であり得る。この基板は変形可能であり、このためこの基板は剛性ではなく、および構造的な利点を提供せず、例えば１ｍｍ未満の厚さのガラスであることが意味される。
【００２２】
アノード
アノード１０３は目的の放出に透過性または実質的に透過性であるべきである。本発明で使用される共通の透明アノード物質は、インジウム−スズ酸化物（ＩＴＯ）、インジウム−亜鉛酸化物（ＩＺＯ）および酸化スズであるが、アルミニウムまたはインジウムをドープした酸化亜鉛、マグネシウム−インジウム酸化物、およびニッケル−タングステン酸化物を含むが、これらに限定されない他の酸化金属が機能し得る。これらの酸化物に加えて、窒化ガリウムなどの窒化金属、セレン化亜鉛などのセレン化金属、硫化亜鉛などの硫化金属がアノードとして使用できる。通常のアノード物質は、４．１ ｅＶ以上の仕事関数を有する。望ましいアノード物質は、通常、蒸発、スパッタリング、化学蒸着、または電気化学的手段などの任意の適切な手段により蒸着される。アノードは周知の写真平版工程を用いてパターン化され得る。随意で、アノードは、ショートを最小にするように又は反射性を増強するように表面粗度を低減するために、他層の適用前に研磨され得る。
【００２３】
正孔注入層（ＨＩＬ）
必ずしも必要ではないが、アノード１０３と正孔輸送層１０７との間に正孔注入層１０５を提供することはしばしば有用である。正孔注入物質は、後の有機層の膜形成性質を改善し正孔輸送層への正孔の注入を促進するのに役立ち得る。正孔注入層での使用に適した物質は、米国特許第４，７２０，４３２号に記載されるポルフィリン化合物、米国特許第６，２０８，０７５号に記載される過フッ化炭化水素重合体、および幾つかの芳香族アミン、例えばｍ−ＭＴＤＡＴＡ（４，４’，４’’−トリス［（３−メチルフェニル）フェニルアミノ］トリフェニルアミン）を含むが、これらに限定されない。有機ＥＬディスプレイに有用であると報告されている代替の正孔注入物質は欧州特許第０ ８９１ １２１ Ａ１号および欧州特許第１ ０２９ ９０９ Ａ１号に記載されている。
【００２４】
正孔輸送層（ＨＴＬ）
正孔輸送層１０７は芳香族第三級アミンなどの少なくとも一つの正孔輸送化合物を含み、後者は炭素原子にのみ結合する少なくとも一つの三価窒素原子を含み、且つ該炭素原子の少なくとも一つは芳香族環の一員である化合物と理解されている。一つの形態において、芳香族第三級アミンは、モノアリールアミン、ジアリールアミン、トリアリールアミン、または重合体アリールアミンなどのアリールアミンであり得る。典型的な単量体トリアリールアミンは米国特許第３，１８０，７３０号でＫｌｕｐｆｅｌ等により説明されている。一つ以上のビニル基で置換された及び／または少なくとも一つの活性水素含有基を含む、他の適切なトリアリールアミンは米国特許第３，５６７，４５０号および第３，６５８，５２０号でＢｒａｎｔｌｅｙ等により開示される。
【００２５】
芳香族第三級アミンのより好ましい部類は、米国特許第４，７２０，４３２号および第５，０６１，５６９号に記載されている少なくとも二つの芳香族第三級アミン部分を含むものである。正孔輸送層は単一又は混合の芳香族第三級アミン化合物で形成され得る。役立つ芳香族第三級アミンの実例は下記の通りである。
１，１−ビス（４−ジ−ｐ−トリルアミノフェニル）シクロヘキサン
１，１−ビス（４−ジ−ｐ−トリルアミノフェニル）−４−フェニルシクロヘキサン
４，４’−ビス（ジフェニルアミノ）４（ｑｕａｄｒｉ）フェニル
ビス（４−ジメチルアミノ−２−メチルフェニル）−フェニルメタン
Ｎ，Ｎ，Ｎ−トリ（ｐ−トリル）アミン
４−（ジ−ｐ−トリルアミノ）−４’−［４（ジ−ｐ−トリルアミノ）−スチリル］スチルベン
Ｎ，Ｎ，Ｎ’，Ｎ’−テトラ−ｐ−トリル−４，４’−ジアミノビフェニル
Ｎ，Ｎ，Ｎ’，Ｎ’−テトラフェニル−４，４’−ジアミノビフェニル
Ｎ，Ｎ，Ｎ’，Ｎ’−テトラ−１−ナフチル−４，４’−ジアミノビフェニル
Ｎ，Ｎ，Ｎ’，Ｎ’−テトラ−２−ナフチル−４，４’−ジアミノビフェニル
Ｎ−フェニルカルバゾール
４，４’−ビス［Ｎ−（１−ナフチル）−Ｎ−フェニルアミノ］ビフェニル
４，４’−ビス［Ｎ−（１−ナフチル）−Ｎ−（２−ナフチル）アミノ］ビフェニル
４，４’’−ビス［Ｎ−（１−ナフチル）−Ｎ−フェニルアミノ］ｐ−テルフェニル
４，４’−ビス［Ｎ−（２−ナフチル）−Ｎ−フェニルアミノ］ビフェニル
４，４’−ビス［Ｎ−（３−アセナフテニル）−Ｎ−フェニルアミノ］ビフェニル
１，５−ビス［Ｎ−（１−ナフチル）−Ｎ−フェニルアミノ］ナフタレン
４，４’−ビス［Ｎ−（９−アントリル）−Ｎ−フェニルアミノ］ビフェニル
４，４’’−ビス［Ｎ−（１−アントリル）−Ｎ−フェニルアミノ］−ｐ−テルフェニル
４，４’−ビス［Ｎ−（２−フェナントリル）−Ｎ−フェニルアミノ］ビフェニル
４，４’−ビス［Ｎ−（８−フルオランテニル）−Ｎ−フェニルアミノ］ビフェニル
４，４’−ビス［Ｎ−（２−ピレニル）−Ｎ−フェニルアミノ］ビフェニル
４，４’−ビス［Ｎ−（２−ナフタセニル）−Ｎ−フェニルアミノ］ビフェニル
４，４’−ビス［Ｎ−（２−ペリレニル）−Ｎ−フェニルアミノ］ビフェニル
４，４’−ビス［Ｎ−（１−コロネニル）−Ｎ−フェニルアミノ］ビフェニル
２，６−ビス（ジ−ｐ−トリルアミノ）ナフタレン
２，６−ビス［ジ−（１−ナフチル）アミノ］ナフタレン
２，６−ビス［Ｎ−（１−ナフチル）−Ｎ−（２−ナフチル）アミノ］ナフタレン
Ｎ，Ｎ，Ｎ’，Ｎ’−テトラ（２−ナフチル）−４，４’’−ジアミノ−ｐ−テルフェニル
４，４’−ビス｛Ｎ−フェニル−Ｎ−［４−（１−ナフチル）−フェニル］アミノ｝ビフェニル
４，４’−ビス［Ｎ−フェニル−Ｎ−（２−ピレニル）アミノ］ビフェニル
２，６−ビス［Ｎ，Ｎ−ジ（２−ナフチル）アミン］フルオレン
１，５−ビス［Ｎ−（１−ナフチル）−Ｎ−フェニルアミノ］ナフタレン
４，４’，４’’−トリス［（３−メチルフェニル）フェニルアミノ］トリフェニルアミン
【００２６】
有用な正孔輸送物質の他の部類は、欧州特許第１ ００９ ０４１号に記載されている多環式芳香族化合物を含む。オリゴマー物質を含む二つより多いアミン基をもつ第三級芳香族アミンが用いられ得る。更に、ポリ（Ｎ−ビニルカルバゾール）（ＰＶＫ）、ポリチオフェン、ポリピロール、ポリアニリン、およびＰＥＤＯＴ／ＰＳＳとも呼ばれるポリ（３，４−エチレンジオキシチオフェン）／ポリ（４−スチレンスルホネート）等の共重合体など、重合体正孔輸送物質が用いられ得る。
【００２７】
発光層（ＬＥＬ）
米国特許第４，７６９，２９２号および第５，９３５，７２１号でより詳しく記載されているように、有機ＥＬ要素の発光層（ＬＥＬ）１０９は発光物質または蛍光物質を含み、電界発光はこの領域における電子正孔対の組み合わせの結果として生じる。発光層は単独の物質を含み得るが、より一般的には、単数または複数のゲスト化合物をドープされたホスト物質から成り、発光は、主としてドーパントによってもたらされ、任意の色であり得る。発光層のホスト物質は、以下に定義する電子輸送物質、上記に定義した正孔輸送物質、または他の物質もしくは正孔−電子の再結合を支持する物質の組み合わせであり得る。ドーパントは、通常、強い蛍光を発する色素から選択されるが、リン光を発する化合物、例えばＷＯ９８／５５５６１、ＷＯ００／１８８５１、ＷＯ００／５７６７６、およびＷＯ００／７０６５５に記載される遷移金属錯体も有用である。ドーパントは通常ホスト物質に０．０１から１０重量％として被覆される。ポリフルオレンおよびポリビニルアリーレン（例えば、ポリ（ｐ−フェニレンビニレン）、ＰＰＶ）などの重合体物質はホスト物質としても使用され得る。この場合、小分子ドーパントは重合体ホストに分子拡散され得る。または該ドーパントは微量成分をホスト重合体に共重合させることにより添加され得る。
【００２８】
ドーパントとして色素を選択するための重要な関係はバンドギャップ電位の比較であり、該電位は最高被占分子軌道と分子の最低非占有分子軌道のエネルギー差異として定義される。ホストからドーパント分子への効率的なエネルギー転移については、必要条件はドーパントのバンドギャップがホスト物質のそれより小さいことである。リン光放出体では、ホストの三重項エネルギー・レベルがホストからドーパントへエネルギー転移できる十分な高さであることも重要である。
【００２９】
使用が知られているホストおよび放出分子は、米国特許第４，７６８，２９２号；第５，１４１，６７１号；第５，１５０，００６号；第５，１５１，６２９号；第５，４０５，７０９号；第５，４８４，９２２号；第５，５９３，７８８号；第５，６４５，９４８号；第５，６８３，８２３号；第５，７５５，９９９号；第５，９２８，８０２号；第５，９３５，７２０号；第５，９３５，７２１号；および第６，０２０，０７８号を含むが、これらに限定されない。
【００３０】
８−ヒドロキシキノリン（オキシン）の金属錯体および類似誘導体は電界発光を支持できる有用なホスト化合物の一つの部類を構成する。有用なキレート・オキシノイド化合物の実例は下記の通りである。
ＣＯ−１：アルミニウム・トリスオキシン［別名、トリス（８−キノリノラト）アルミニウム（ＩＩＩ）］
ＣＯ−２：マグネシウム・ビスオキシン（ｂｉｓｏｘｉｎｅ）［別名、ビス（８−キノリノラト）マグネシウム（ＩＩ）］
ＣＯ−３：ビス［ベンゾ｛ｆ｝−８−キノリノラト］亜鉛（ＩＩ）
ＣＯ−４：ビス（２−メチル−８−キノリノラト）アルミニウム（ＩＩＩ）−μ−オキソ−ビス（２−メチル−８−キノリノラト）アルミニウム（ＩＩＩ）
ＣＯ−５：インジウム・トリスオキシン［別名、トリス（８−キノリノラト）インジウム］
ＣＯ−６：アルミニウム・トリス（５−メチルオキシン）［別名、トリス（５−メチル−８−キノリノラト）アルミニウム（ＩＩＩ）］
ＣＯ−７：リチウム・オキシン［別名、（８−キノリノラト）リチウム（Ｉ）］
ＣＯ−８：ガリウム・オキシン［別名、トリス（８−キノリノラト）ガリウム（ＩＩＩ）］
ＣＯ−９：ジルコニウム・オキシン［別名、テトラ（８−キノリノラト）ジルコニウム（ＩＶ）］
【００３１】
有用なホスト物質の他の部類は、アントラセンの誘導体、９，１０−ジ−（２−ナフチル）アントラセンなど、米国特許第５，９３５，７２１号に記載されているそれらの誘導体、米国特許第５，１２１，０２９号に記載されているジスチリルアリーレン誘導体、およびベンザゾール誘導体、例えば２，２’，２’’−（１，３，５−フェニレン）トリス［１−フェニル−１Ｈ−ベンズイミダゾール］を含むが、これらに限定されない。カルバゾール誘導体はリン光放出体の特に有用なホストである。
【００３２】
有用な蛍光ドーパントは、アントラセン、テトラセン、キサンテン、ペリレン、ルブレン、クマリン、ローダミン、キナクリドンの誘導体、ジシアノメチレンピラン化合物、チオピラン化合物、ポリメチン化合物、ピリリウムおよびチアピリリウム化合物、フルオレン誘導体、ペリフランテン誘導体、インデノペリレン誘導体、ビス（アジニル）アミン・ホウ素化合物、ビス（アジニル）メタン化合物、およびカルボスチリル化合物を含むが、これらに限定されない。
【００３３】
電子輸送層（ＥＴＬ）
本発明の有機ＥＬ要素の電子輸送層１１１を形成する際に用いる好ましい薄膜形成物質は、オキシン自体（一般に８−キノリノールまたは８−ヒドロキシキノリンとも呼ばれる）のキレートを含む金属キレート・オキシノイド化合物である。電子の注入および輸送に役立つ該化合物は、高レベルの性能を示し、薄膜の形態で容易に製造される。実例のオキシノイド化合物は上に列挙した。
【００３４】
他の電子輸送物質は、米国特許第４，３５６，４２９号に開示される種々のブタジエン誘導体および米国特許第４，５３９，５０７号に記載される種々の複素環蛍光増白剤を含む。ベンザゾールおよびトリアジンも有用な電子輸送物質である。
【００３５】
カソード
発光がアノード１０３および基板２０を通して見られるので、カソード１１３はほぼ任意の導電材料から構成され得る。所望の材料は、優れた膜形成性質を有し、基底の有機層と良好な接触を保証し、低電圧で電子注入を促進し、ならびに良好な安定性を有する。有用なカソード物質はしばしば低仕事関数の金属（＜４．０ ｅＶ）または合金を含む。一つの好ましいカソード物質はＭｇ：Ａｇ合金から構成され、銀の割合は、米国特許第４，８８５，２２１号に記載されるように、１から２０％の範囲である。カソード物質の他の適切な部類は、より厚い導電金属層でキャップされた有機層（例えば、ＥＴＬ）と接触する薄い電子注入層（ＥＩＬ）を含む二層を含む。ここで、ＥＩＬは低仕事関数の金属または金属塩を含むことが好ましく、その場合、より厚いキャップ層は低仕事関数を有する必要はない。このような一つのカソードは、ＬｉＦの薄層、続いて米国特許第５，６７７，５７２号に記載されるＡｌの厚層から構成される。他の有用なカソード物質一式は、米国特許第５，０５９，８６１号、第５，０５９，８６２号、および第６，１４０，７６３号を含むが、これらに限定されない。
【００３６】
カソード物質は、通常、蒸発、スパッタリング、または化学蒸着により蒸着される。必要な場合、スルー・マスク蒸着、インテグラル・シャドー・マスキング、例えば米国特許第５，２７６，３８０号および欧州特許第０ ７３２ ８６８号に記載されるように、レーザー切断、および選択的化学蒸着を含むが、これらに限定されない多数の周知方法により、パターニングが実施され得る。
【００３７】
他の一般的な有機層およびディスプレイ機器構成
幾つかの事例において、層１０９および１１１は、任意で、発光と電子輸送の両方を支持する機能を果たす単一層に崩壊され得る。光放出ドーパントがホストとして役立ち得る正孔輸送層に添加され得ることも当分野で知られている。複数のドーパントは、例えば青色および黄色を放つ物質、シアン色および赤色を放つ物質、または赤色、緑色、および青色を放つ物質を組み合わせることにより、白色を発つＯＬＥＤを創出するために一つ以上の層に添加され得る。白色を放つディスプレイは、例えば、欧州特許第号１ １８７ ２３５、米国特許出願公開第２００２/００２５４１９号、欧州特許第１ １８２ ２４４号、米国特許第５，６８３，８２３号、米国特許第５，５０３，９１０号、米国特許第５，４０５，７０９号、および米国特許第５，２８３，１８２号に記載されている。
【００３８】
当分野で教示される電子または正孔を遮断する層などの追加層が本発明のディスプレイで使用され得る。正孔遮断層は、一般に、例えば米国特許出願公開第２００２/００１５８５９号のように、リン光を発するディスプレイの効率を改善するために用いられる。
【００３９】
本発明は、例えば米国特許第５，７０３，４３６号および米国特許第６，３３７，４９２号で教示されるように、いわゆる積層ディスプレイ機器構成で使用され得る。
【００４０】
有機層の蒸着
上記の有機物質は、昇華などの気相方法により適切に蒸着されるが、随意の結合剤を用いて、流体から、例えば溶媒から蒸着され膜形成を改善し得る。該物質が重合体である場合、溶媒蒸着は有用であるが、スパッタリングまたはドナー・シートからの熱転写などの他の方法も用いられ得る。昇華により蒸着される物質は、例えば米国特許第６，２３７，５２９号に記載されるように、しばしばタンタル物質から構成される昇華剤（ｓｕｂｌｉｍａｔｏｒ）「ボート」から蒸発し得る。または、まずドナー・シート上に被覆された後、該基板に密接して昇華し得る。物質の混合物を含む層は個別の昇華剤ボートを利用し得る。または該物質は予め混合され、単独のボートまたはドナー・シートから被覆され得る。パターン化された蒸着は、シャドー・マスク、一体シャドー・マスク（米国特許第５，２９４，８７０号）、ドナー・シートからの空間的に定義された熱色素転写（米国特許第５，６８８，５５１号、第５，８５１，７０９号、および第６，０６６，３５７号）およびインクジェット法（米国特許第６，０６６，３５７号）を用いて達成され得る。
【００４１】
光学的最適化
本発明のＯＬＥＤディスプレイは、所望ならば、その性質を強化するために様々な周知の光学的効果を利用し得る。これは最大の光透過率を得るために層の厚さを最適化すること、誘電性鏡構造を提供すること、反射電極を吸光電極と交換すること、ディスプレイ上にグレア防止もしくは反射防止の被覆を提供すること、ディスプレイ上に偏光媒体を提供すること、またはディスプレイ上に有色フィルター、減光フィルターもしくは色温度変換フィルターを提供することを含む。
【００４２】
部品リスト
１０    ＯＬＥＤデバイス
２０    基板
３０    ＯＬＥＤ
４０    保護層
５０    フォイル
６０    筐体構造
６５    たすき
７０    乾燥剤層
８０    プラスチックシート
９０    接着剤
９５    接着剤
１０３    アノード
１０５    正孔注入層
１０７    正孔輸送層
１０９    発光層
１１１    電子−輸送層
１１３    カソード
２５０    電源
２６０    導電体
【図１】
0005558835.tif 000002
【図２】
0005558835.tif 000003
【図３】
0005558835.tif 000004